(57)【要約】【課題】ヘッドに強固に装着され、非装着時にコンパクトに収納可能なインクリボンカセットの提供【解決手段】インクリボンカセット１は、インクリボン３０が格納された細長いカセット本体ケース部１１と本体ケース部の両端部の一側から横向きに突出した一対の案内腕部１５，１６とを備え、腕部の突出端部の間でインクリボンの露出部Ｂが張架されたカセット本体１０と、リボンの露出部Ｂのうちリボンの送り方向Ａに関して被使用領域Ｂ１の前後において露出部Ｂに係合される一対の係合案内部５２，５３を備えたリボンガイド本体部５０と、ヘッドに装着される際にリボンガイド本体部５０からヘッドに延びた端部の取付脚部分６９，７９がヘッドに取外し可能に取付けられる脚部６０，７０とを備え、被使用領域Ｂ１をヘッドのノーズに位置決めするリボンガイド４０とを有し、脚部が回動連結部６２，７２で折曲可能に構成されている。【選択図】図１
2005074732.tif 000002
【特許請求の範囲】
【請求項１】
インクリボンが格納された細長いカセット本体ケース部と該本体ケース部の長手方向の両端部の一側から横向きに突出した一対のインクリボン案内腕部とを備え、該一対の腕部の突出端部の間でインクリボンの露出部が張架されたカセット本体と、
インクリボンの露出部のうち被使用領域をヘッドのノーズの先端に位置決めするリボンガイドであって、インクリボンの送り方向に関して該インクリボンの被使用領域の前後においてインクリボンの露出部に係合される一対の係合案内部を備えたリボンガイド本体部と、ヘッドに装着される際にリボンガイド本体部からヘッドに向かって延在し延在端部にある取付脚部分がヘッドに取外し可能に取付けられる脚部とを備えたものとを有し、
脚部が折曲可能に構成されているインクリボンカセット。
【請求項２】
脚部が、カセットケース及びインクリボンの露出部によって規定される平面に対して実質的に平行な平面内に位置する支持脚部分を備え、脚部の取付脚部分が、支持脚部分の延在端において支持脚部分に対して交差する向きに延びヘッドの被取付部に取外し可能に取付けられるように構成された請求項１に記載のインクリボンカセット。
【請求項３】
脚部が、リボンガイド本体部から前記一側に向かって突出した基部側脚部分と、該基部側脚部分の突出部に対して回動可能に連結された先端側脚部分とを有し、先端側脚部分が取付脚部分を備える請求項１又は２に記載のインクリボンカセット。
【請求項４】
リボンガイド本体部は、リボンガイドがヘッドに装着される際に指で保持可能な取付保持部を含む請求項１から３までのいずれか一つの項に記載のインクリボンカセット。
【発明の詳細な説明】
【技術分野】
【０００１】
本発明は、インクリボンカセットに係る。
【背景技術】
【０００２】
インクリボンが格納された細長いカセット本体ケース部と該本体ケース部の長手方向の両端部の一側から横向きに突出した一対のインクリボン案内腕部とを備え、該一対の腕部の突出端部の間でインクリボンの露出部が張架されたカセット本体と、リボンの露出部のうち被使用領域をヘッドのノーズの先端に位置決めするリボンガイドであって、インクリボンの送り方向に関して該インクリボンの被使用領域の前後においてインクリボンの露出部に係合される一対の係合案内部を備えたリボンガイド本体部と、該リボンガイド本体部と一体的に形成されヘッド（キャリッジを含む）に取外し可能に取付けられる脚部とを備えたものとを有するインクリボンカセットは知られている（例えば、特許文献１）。
【０００３】
また、インクリボンが格納された細長いカセット本体ケース部と該本体ケース部の長手方向の両端部の一側から横向きに突出した一対のインクリボン案内腕部とを備え、該一対の腕部の突出端部の間でインクリボンの露出部が張架されたカセット本体と、リボンの露出部のうち被使用領域をヘッドのノーズの先端に位置決めするリボンガイドであって、インクリボンの送り方向に関して該インクリボンの被使用領域の前後においてインクリボンの露出部に係合される一対の係合案内部を備えたリボンガイド本体部と、ヘッドに装着される際にリボンガイド本体部からヘッドに向かって延在し延在端部にある取付脚部分がヘッドに取外し可能に取付けられる脚部とを備えたものとを有するインクリボンカセットも知られている。
【０００４】
後者のようなインクリボンカセットにおいて、細長いインクリボンカセットの幅方向のサイズを小さくすべく、両端の案内腕部の長さを小さくする場合、仮に、該案内腕部の延在方向と平行な方向のリボンガイドの長さが長いと、リボンガイドのところでリボンが大きく突出してしまうので、このようなインクリボンカセットを直方体状の箱等に収容しようとすると、搬送の際におけるインクリボンカセット収容箱のサイズが大きくなってしまうだけでなく、突出したリボンガイドの周辺でリボンが損傷を受け易い虞れもある。一方、該案内腕部の延在方向と平行な方向のリボンガイドの長さを短くすると、リボンガイドが、ヘッドのノーズ部に近い先端近傍でヘッドに装着されることになるから、ヘッドによるリボンガイドの固定・支持が安定に行われ難くなる虞れがある。
【特許文献１】実開平５−３１９６５号公報
【発明の開示】
【発明が解決しようとする課題】
【０００５】
本発明は前記諸点に鑑みされたものであって、その目的とするところは、ヘッドに対して強固に装着され易いだけでなく、非装着時にコンパクトに収納可能なインクリボンカセットを提供することにある。
【課題を解決するための手段】
【０００６】
本発明のインクリボンカセットは、前記目的を達成すべく、インクリボンが格納された細長いカセット本体ケース部と該本体ケース部の長手方向の両端部の一側から横向きに突出した一対のインクリボン案内腕部とを備え、該一対の腕部の突出端部の間でインクリボンの露出部が張架されたカセット本体と、インクリボンの露出部のうち被使用領域をヘッドのノーズの先端に位置決めするリボンガイドであって、インクリボンの送り方向に関して該インクリボンの被使用領域の前後においてインクリボンの露出部に係合される一対の係合案内部を備えたリボンガイド本体部と、ヘッドに装着される際にリボンガイド本体部からヘッドに向かって延在し延在端部にある取付脚部分がヘッドに取外し可能に取付けられる脚部とを備えたものとを有し、脚部が折曲可能に構成されている。
【０００７】
本発明のインクリボンカセットでは、「ヘッドに取外し可能に取付けられる脚部が折曲可能に構成されている」ので、リボンガイドのうちヘッドに装着される脚部がカセット本体の腕部よりも長くても、搬送時の如き非装着時においては、リボンガイドの脚部を折り曲げておくことにより、腕部の突出の範囲内に入るようにし得るので、搬送時の如き非装着時においてリボンカセットをコンパクト化し得るから、搬送などが容易に行われ得るだけでなく、搬送などの際にインクリボンが損傷を受ける虞れを最低限に抑え得る。また、本発明のインクリボンカセットでは、「ヘッドに取外し可能に取付けられる脚部が折曲可能に構成されている」ので、リボンガイドをヘッドに装着する場合には、脚部の折曲げを解除して脚部を延ばすことにより、脚部をノーズ部から遠く離れたヘッドの奥の領域に装着することが可能になる。
【０００８】
従って、本発明のインクリボンカセットにおいて、リボンガイドの脚部は、典型的には、脚部の先端部分又はその近傍において、ヘッドに装着される。
【０００９】
なお、本発明において、リボンガイドが取り付けられる「ヘッド」とは、典型的には、ヘッド自体を指すけれども、本発明が、キャリッジと一体的に往復動されるヘッドによる印字に際して順次繰り出されるインクリボンの支持に係ることから、キャリッジをヘッドと区別する必要が実際上ないので、両者を区別していることが前後の文脈から明らかな場合を除き、本発明において「ヘッド」というときにはいわゆるヘッド自体の代わりにいわゆるキャリッジを含めたいずれか一方又は両方を指している。
【００１０】
本発明において、インクリボンカセットは、典型的には、プリンタの如き印刷装置に組込まれるもので、典型的には、印刷装置のプラテンの長さと同程度の長さを有する。但し、インクリボンカセット自体が、キャリッジに装着されて、キャリッジと共に往復動されてもよい。
【００１１】
カセット本体は、内部にインクリボンを収容し、腕部を除く本体部分が、典型的には、ほぼ長方形の平面形状を有する。但し、所望ならば、角部が面取りされたり、湾曲していてもよく、また、長手方向の側縁（側面）や端縁（端面）などの一部又は全部が非直線状であってもよい。
【００１２】
カセット本体の案内腕部は、カセット本体の本体部分内のインクリボンの引出し及び引込みを案内すべく、典型的には、その一部又は全部が筒状になっていて、その内向きの対向部の先端近傍においてインクリボンの引出（繰出）用開口及び引込用開口を備える。案内腕部は、典型的には、カセット本体ケース部の長手方向の両端縁に沿って該本体ケース部の延在面内で突出するけれども、実際上両端部に位置する限り、所望ならば、両端縁よりも少し内側ないし中央側において突出していてもよい。インクリボンは、カセット本体の腕部のインクリボンの引出用開口及び引込用開口の間において、露出張架される。
【００１３】
また、カセット本体の案内腕部の（該腕部）延在方向の長さは、典型的には、リボンガイドが装着されるヘッドの該方向の長さよりも短い。但し、所望ならば、該方向におけるヘッドの長さと同程度又はそれ以上でもよい。
【００１４】
本発明のインクリボンカセットでは、典型的には、脚部が、カセットケース及びインクリボンの露出部によって規定される平面に対して実質的に平行な平面内に位置する支持脚部分を備え、脚部の取付脚部分が、支持脚部分の延在端において支持脚部分に対して交差する向きに延びヘッドの被取付部に取外し可能に取付けられるように構成される。この場合、支持脚部分を十分な長さにしておくことにより、取付脚部分による取付強度が高められやすい。
【００１５】
本発明のインクリボンカセットでは、典型的には、脚部が、リボンガイドの本体部から前記一側に向かって突出した基部側脚部分と、該基部側脚部分の突出部に対して回動可能に連結された先端側脚部分とを有し、先端側脚部分が取付脚部分を備える。回動軸は、典型的には、カセット本体ケース部の延在面に対して、実質的に垂直である。但し、脚部が、回動軸のまわりで回動されて折曲げられた状態において、実質的にカセット本体の厚さの範囲内に収まる限り、所望ならば、回動軸がある程度傾斜していてもよい。また、回動軸は、典型的には、一つの脚部当たり一本であるけれども、所望ならば、脚部が、二箇所以上に回動軸を備えていてもよい。更に、リボンガイドは、典型的には、脚部を一対すなわち二本備え、脚部は典型的には、鏡映対象である点を除き相互に同様な構造及び形状を有する。この場合、典型的には、一対の脚部が相互に逆向きに回動可能である。但し、所望ならば、脚部の構造や形状が相互に異なっていてもよい。
【００１６】
リボンガイド本体部は、典型的には、リボンガイドがヘッドに装着される際に指で保持可能な取付保持部を含む。これにより、インクリボンに触れることなくヘッドの所定部位にリボンガイドを装着し得る。
【発明を実施するための最良の形態】
【００１７】
本発明の好ましい一実施の形態を添付図面に示した好ましい一実施例に基づいて説明する。
【実施例１】
【００１８】
本発明による好ましい一実施例のインクリボンカセット１は、図１に示したように、カセット本体１０と、該カセット本体１０内に大半の部分が収容されたインクリボン３０と、リボンガイド４０とを有する。
【００１９】
カセット本体ないしカートリッジ本体１０は、一方向Ｘに沿って細長く延びたほぼ直方体状のカセット本体ケース部ないしカートリッジ本体ケース部１１と、該カセット本体ケース部１１の一側面１２において両端部１３，１４からカセット本体ケース部１１の長手方向Ｘに対して直角な向きＹ（側面１２に対して垂直な向き）に突出した筒状の案内腕部１５，１６とを有する。腕部１５，１６の先端部１７，１８のうち内向き（Ｙ方向）に対向する部分には、インクリボン３０が出入りする開口１９，２０が形成されている。以下では、説明の簡明化のために、カートリッジ本体１０に固定された三次元直交座標系Ｘ，Ｙ，Ｚを採り、Ｚ方向は、図１の（ａ）の面に垂直で奥向きとする。プリンタに組み込まれて使用される場合、Ｙ方向が下向きで、−Ｚ方向が手前向きになるので、以下ではこの向きを基準に説明するけれども、向き自体は便宜的なものであり、例えば、カートリッジ本体１０がプリンタに装着されていない状態では、例えば、−Ｚ方向が上向きになるように載置される等、向きは所望に応じて変わり得、相対的なものである。
【００２０】
カセット本体ケース部１１内では、インクリボン３０が、例えばジグザグないし波形に折り重ねられた状態で格納され、入口側ないし巻取り側において、手動巻込つまみ２１と一体的な駆動ローラ２２及び従動ローラ２３間に挟持されてＡ方向に巻取られ得る。従って、インクリボン３０のうちカセットケース本体部１１から繰出側の中空案内腕部１５を通って該腕部１５の先端部１７の開口１９から出た部分３１は、該開口１９から巻取側腕部１６の先端部１８の開口２０までの露出部ないし露出領域Ｂにおいて外部に露出し、巻取側腕部１６の先端部１８の開口２０から中空案内腕部１６を通ってカセットケース本体部１１の巻取ローラ対２２，２３に達し、カセット本体ケース部１１内の格納領域に戻される。
【００２１】
カセットケース１のリボンガイド４０は、リボンガイド本体部５０と、脚部６０，７０とを備え、リボンガイド本体部５０は、本体枠部５１と、該本体枠部５１の軸受部に回転自在に支持された一対のガイドローラ５２，５３とを備える。説明の簡明化のために、リボンガイド４０についても、カセットケース本体１０と同様な座標系で且つ図１の（ａ）のように、カセットケース本体１０につながった状態でその方向を表す。本体枠部５１は、前後方向（Ｚ方向）延在枠部５４，５５と、該Ｚ方向延在枠部５４，５５の手前側端部をつなぐリボン送り方向（Ｘ方向）延在枠部５６とを備え、図１の（ｄ）の向きで見た場合全体としてほぼ逆Ｕ字状の形状を有する。前後方向延在枠部５４，５５は、夫々、例えば、二つのＹＺ面にほぼ平行な面内で前後方向に延びた相互にほぼ平行な側面部分５４ａ，５５ａと、該平行側面部分５４ａ，５５ａに対して斜めに向いた案内・補強側面部分５４ｂ，５５ｂとを有する。ここで、本体枠部５１、より詳しくは、その前後方向枠部５４，５５のうちインクリボン３０よりも手前側（−Ｚ方向）に位置する部分及びＸ方向延在枠部５６は、リボンガイド４０の取扱いに際して、操作者により指先でつままれる被保持部になっている。
【００２２】
前後方向延在枠部５４及び５５は、夫々の奥部（図１の（ｄ）では下部）に、ガイドローラ５２及び５３の両端部を回転自在に支持する一対の軸受部５４ｃ，５４ｃ及び５５ｃ，５５ｃを備えると共に、案内・補強側面部分５４ｂ，５５ｂの奥部（図１の（ｄ）や（ｅ）では下部）に、案内面部５７，５８を備える。従って、インクリボン３０は、該リボン３０の露出部Ｂの送り方向Ｘに関して上流側に位置するカセット本体１０の案内腕部１５の開口１９からリボンガイド４０に延びてリボンガイド４０のガイドローラ５２により案内・転向された後、リボンガイド４０の前後方向延在枠部５４の案内面部５７に沿って全体としてほぼＳ字状になるように逆向きに案内・転向されてもう一方の前後方向延在枠部５５の案内面部５８に至り、該案内面部５８に沿って案内・転向された後全体としてほぼＳ字状になるようにガイドローラ５３により逆向きに案内・転向され、更に、カセット本体１０のもう一方の案内腕部１６の開口２０に達する。ここで、インクリボン３０の露出部Ｂのうち案内面部５７，５８間の領域Ｂ１が、後述のように印字ヘッド８０のノーズ８６の先端が接触して印字が行われる被使用領域に該当する。
【００２３】
脚部６０，７０は、夫々、リボンガイド４０の本体部を構成する本体枠部５１の前後方向延在枠部５４，５５から本体枠部５１のＵ字のある仮想面（Ｚ−Ｘ平面又はこれに平行な面）に対して実質的に垂直な向きに突出した基部側脚部分６１，７１と、基部側脚部分６１，７１の突出端部６１ａ，７１ａに回動連結部６２，７２を介して連結された先端側脚部分６３，７３とを有する。
【００２４】
基部側脚部分６１は、上下方向のほぼ長方形の同一形状の一対の板状部６４，６４からなる。板状部６４，６４の先端縁６４ａ，６４ａは、後述の印字ヘッド８０の手前側表面８１に当接するように一つの平面上に位置する。板状部６４，６４は先端部近傍に軸受孔６２ａ，６２ａを有し、軸受孔６２ａ，６２ａには、ピン６６が両端部６６ａ，６６ａで嵌合されている。先端側脚部分６３は、ほぼ長方形の板状の脚部本体部６７と、該脚部本体部６７の基端部に一体的に形成され脚部本体部６７に対して直角な向きに前後方向（Ｚ方向）に延びピン６６に回動自在に嵌合された大径の円筒状部６８と、該脚部本体部６７の先端部に一体的に形成され脚部本体部６７に対して直角な向きに奥向き（＋Ｚ方向）に延びる大径の取付軸部６９とを有する。ここで、支持脚部分が、基部側脚部分６１と、軸受６２と、先端側脚部分６３の大径円筒状部６８及び脚部本体部６７とからなり、取付脚部分が、取付軸部６９、より詳しくは、その奥側部分６９ｂからなる。長方形の板状の脚部本体部６７は、その長辺をなす奥側の側面６７ａが、後述の印字ヘッド８０の手前側表面８２に実質的に当接可能である。大径取付軸部６９は、長方形状の脚部本体部６７の先端側の一辺と実質的に同じ長さの手前側部分６９ａで脚部本体部６７に連結され、奥側部分６９ｂが後述の印字ヘッド８０の取付孔８３に取外し可能に挿入・嵌着される。
【００２５】
基部側脚部分７１は、基部側脚部分６１と同様に、上下のほぼ長方形の同一形状の板状部７４，７４からなる。板状部７４，７４の先端縁７４ａ，７４ａは、後述の印字ヘッド８０の前面８１に当接するように一つの平面上に位置する。板状部７４，７４は先端部近傍に軸受孔７２ａ，７２ａを有し、軸受孔７２ａ，７２ａには、ピン７６が両端７６ａ，７６ａで嵌合されている。先端側脚部分７３は、水平方向に延在するほぼ長方形の板状の脚部本体部７７と、該脚部本体部７７の基端部に一体的に形成され脚部本体部７６に対して直角な向きに上下方向に延びピン７６に回動自在に嵌合された大径の円筒状部７８と、該脚部本体部７７の先端部に一体的に形成され脚部本体部７７に対して直角な向きに上下方向に延びる大径の取付軸部７９とを有する。長方形の板状の脚部本体部７７は、その長辺をなす下側の側面７７ａが、後述の印字ヘッド８０の上面８２に実質的に当接・載置可能である。大径取付軸部７９は、長方形状の脚部本体部７７の先端側の一辺と実質的に同じ長さの上側部分７９ａで脚部本体部７７に連結され、下側部分７９ｂが後述の印字ヘッド８０の取付孔８４に取外し可能に挿入・嵌着される。
【００２６】
以上の如く構成されたリボンガイド４０では、先端側脚部６３，７３がガイド本体部５０の延在面（ＺＸ平面に平行な面）に対して実質的に平行になるように該先端側脚部６３，７３を夫々の回動中心軸線Ｃ１，Ｃ２のまわりでＧ１，Ｈ１方向に回動させた状態（図１の（ｂ）に示した状態に対応し、正に、図１の（ａ）に示された状態）Ｓ１では、リボンガイド４０は、カセット本体部１０の案内腕部１５，１６のＹ方向の長さよりも薄い厚さ（ガイドローラ５２，５３の背面から基端側脚部６１，７１の板状部６４，７４の先端面６４ａ，７４ａまでの厚さ）Ｔ１になるから、リボンガイド４０が案内腕部１５，１６間でＹ方向に突出するのを、実質的に避け得る。これは、仮に、リボンガイド４０の脚部６１，７１の先端側脚部６３，７３が、図１の（ｃ）に示したように、Ｇ２，Ｈ２方向に回動されてリボンガイド４０の脚部６１，７１が延びた状態Ｓ２を想定すると、この状態Ｓ２では、ガイドローラ５２，５３の背面から脚部６３，７３の先端部分６９，７９までの厚さＴ２は、腕部１５，１６のＹ方向長さよりもはるかに大きくなるから、リボンガイド４０及びリボン３０は、図１の（ａ）において、想像線Ｄで示したように、Ｙ方向に大きく突出してしまうことになることから、容易に理解されよう。
【００２７】
なお、回動連結部ないしヒンジ部６２は、板状部６４，６４の軸受孔６２ａ，６２ａと、ピン６６と、先端側脚部分６３の大径円筒状部６８の両端部の小径軸部とからなる。先端側脚部分６３が基端側脚部分６１に対して、軸線Ｃ１のまわりでＧ１，Ｇ２方向に回動可能である限り、回動連結部ないしヒンジ部６２は、異なる構造でもよい。また、回動連結部ないしヒンジ部７２は、板状部７４，７５の軸受孔７２ａ，７２ａと、ピン７６と、先端側脚部分７３の大径円筒状部７８の両端部の小径軸部とからなる。先端側脚部分７３が基端側脚部分７１に対して、軸線Ｃ１と実質的に平行な軸線Ｃ２のまわりでＨ１，Ｈ２方向に回動可能である限り、回動連結部ないしヒンジ部７２も、異なる構造でもよい。
【００２８】
なお、脚部６０，７０が、ガイド本体部５０に対して、本体枠部５１の延在面（ＺＸ平面）に交差する向きに延びる限り、脚部６０，７０は該面に対して必ずしも垂直に延びていなくてもよく、例えば、脚部６０，７０が直線状に延びた状態（図１の（ｃ）のような状態）Ｓ２において、先端側ほど相互に近接するように斜めに延びていても、逆に、先端側ほど相互に離間するように斜めに延びていてもよい。
【００２９】
また、脚部６０を構成する脚部分６１，６３が図１の（ｃ）の状態において、直線状に突出する代わりに、回動連結部６２で折れ曲っていたり該連結部６２の近傍で湾曲していていもよく、同様に、脚部７０を構成する脚部分７１，７３が図１の（ｃ）の状態において、直線状に突出する代わりに、回動連結部７２で折れ曲っていたり該連結部７２の近傍で湾曲していてもよい。脚部分６１，７１の突出長は短くても長くてもよく、脚部分６１，７１の長さが短い場合、実質的に、本体部５０の一部と見なしてもよい。その場合、脚部分６３が回動連結部６２，７２を介して本体部５０に直接連結されていると見なし得る。
【００３０】
なお、典型的には、脚部６０と脚部７０とは鏡映対称に形成されるけれども、インクリボン３０が本質的にＡ方向に送られることを考慮すると、動作上鏡映対称性が崩れているので、連結部６２，７２においてＸＹ平面に垂直な回動中心軸線Ｃ１，Ｃ２のまわりでの回動が行われる限り、脚部６０と脚部７０とで、延在方向や、構造などが異なっていてもよい。
【００３１】
また、脚部は、典型的には、一対（二本）からなるけれども、夫々の脚部において、連結部での回動が行われる限り、三本以上の脚部があってもよい。
【００３２】
更に、図示の例では、脚部６０，７０の夫々が相互に回動可能に連結された二つの脚部分からなるとして説明したけれども、三つ以上の脚部分からなっていてもよく、また、単一の脚部分が、回動連結部６２，７２を介して回動可能にガイド本体部５０に結合されていてもよい。
【００３３】
図２には、本発明による好ましい一実施例のインクリボンカセット１を、プリンタ５に取り付けた状態が示されている。
【００３４】
図２において、プリンタ５は、側壁６，７間でＸ１，Ｘ２方向に可動な印字ヘッド８０を備える。ここで、印字ヘッド８０は側壁ないし側板６，７間でＸ１，Ｘ２方向に可動なキャリッジに装着されているもので、ヘッド８０をキャリッジの一部と見なしてもよい。すなわち、ここでは、リボンカセット１がプリンタ５の側壁６，７間に装着される際に、説明の簡明化のために、リボンガイド４０がヘッド８０に取外し可能に装着されるとして説明するけれども、ヘッド８０のノーズ８６がリボン３０に当接せしめられる点を除き、リボンガイド４０がキャリッジに装着されてもよい。プリンタ５では、プラテン８が側壁ないし側板６，７間で支持されてヘッド８０に対向するように配設されている。
【００３５】
図２の（ｂ）からわかるように、ヘッド８０は、ヘッド本体部８５とノーズ８６とを含み、ヘッド本体８５の下面８１において、リボンガイド４０の基端側脚部６１，７１を構成する板状部６４，７４の端面６４ａ，７４ａに当接し、ヘッド本体部８５の手前側表面８２に形成された取付孔８３，８４に丁度先端側脚部６３，７３の先端側軸部６９，７９の下端側部分６９ｂ，７９ｂが嵌合されて、リボンガイド４０がヘッド８０に固定される。この取付状態において、脚部本体部６７，７７の奥側の面６７ａ，７７ａは、ヘッド８０の表面８２，８２に当接する。このリボンカセット１の装着状態では、脚部６０，７０が、先端縁６４ａ，７４ａでヘッド８０の対向面８１に当接すると共に面６７ａ，７７ａでヘッドの対向面８２に当接した状態で、ヘッド８０の下端から−Ｙ方向に大きく離れた部位にある取付孔８３，８４に長い脚部本体部６７，７７の先端にある取付軸部６９，７９の奥側軸部分６９ｂ，７９ｂが嵌着されるので、リボンガイド４０がヘッド８０の強固に安定に取付けられ得る。従って、リボンガイド４０の案内部分を通るインクリボン３０は、ヘッド８０のサイズなどに応じて、Ｙ方向に大きく突出した位置を確実に且つ安定に採り得る。
【図面の簡単な説明】
【００３６】
【図１】本発明による好ましい一実施例のインクリボンカセットを示したもので、（ａ）は一実施例のインクリボンカセットの搬送・収納時の状態を示した平面説明図、（ｂ）は（ａ）のインクリボンカセットのうちリボンガイドの部分を拡大して示した平面説明図、（ｃ）はプリンタに装着した際（例えば図２）にリボンガイドが採る位置（状態）を拡大して示した平面説明図、（ｄ）は（ｃ）の矢印ＩＤ方向にみた背面説明図、（ｅ）は（ｃ）及び（ｄ）の矢印ＩＥ方向の側面説明図、（ｆ）は（ｃ）の状態の斜視説明図。
【図２】図１のインクリボンカセットをプリンタに装着した状態を示したもので、（ａ）は装着状態の平面説明図、（ｂ）は（ａ）のヘッド及びリボンガイドの部分の拡大平面説明図。
【符号の説明】
【００３７】
１  インクリボンカセット
５  プリンタ
１０  カセット本体
１１  カセット本体ケース部
１２  側面
１３，１４  端部
１５，１６  案内腕部
３０  インクリボン
４０  リボンガイド
５０  リボンガイド本体
５１  本体枠部
５２，５３  ガイドローラ
５４，５５  上下方向枠部
５６  水平方向枠部
６０，７０  取付脚部
６１，７１  基端側脚部
６２，７２  回動連結部（ヒンジ部）
６３，７３  先端側脚部
６４，７４  板状部
６４ａ，７４ａ  先端縁
６６，７６  ピン
６７，７７  脚部本体部
６８，７８  大径円筒状部
６９，７９  大径軸部
６９ｂ，７９ｂ  下側部分
８０  印字ヘッド
８１  前面
８２  上面
８３，８４  取付孔部
８５  ヘッド本体部
８６  ノーズ
Ａ  リボン送り方向
Ｂ  露出部（露出領域）
Ｂ１  被使用領域
Ｃ１，Ｃ２  回動中心軸線
Ｇ１，Ｇ２，Ｈ１，Ｈ２  回動方向
Ｓ１，Ｓ２  状態
Ｘ，Ｙ，Ｚ  方向
【図１】
2005074732.tif 000003
【図２】
2005074732.tif 000004